(57)【要約】      （修正有）【課題】所定の制御風速を満たした環境を提供し、かつ極めて正確に塗料の計測ができる局所排気装置を提供すること。【解決手段】作業テーブル２と計量テーブル３上の空間は、囲いフード４により囲われている。囲いフード４は、作業テーブル２の正面側に作業開口４ｇを有し、計量テーブル３の正面壁４ｆは透視可能な透明パネルにより構成されている。作業テーブル２の下側の機械室５には、空気流を発生するファンが設けられている。邪魔板９は、作業テーブル２と計量テーブル３との間の空間の一部を封鎖する。囲い式フード４により囲われた作業テーブル２上の空間と計量テーブル３上の空間を、邪魔板９の上縁９ａより上については互いに連通させ、上縁９ａより下側は連通が遮られている。作業テーブル２は上下に空気を透過する板材により構成され、計量テーブル３側の邪魔板９の上縁９ａより下の空間は風に対する袋小路を構成している。【選択図】図１
2020051672.tif 000002
【特許請求の範囲】
【請求項１】
局所的な換気を行う局所排気装置において、
作業テーブルと計量テーブルとが、前記局所排気装置の正面に隣り合って配置されており、
前記作業テーブルと計量テーブルの上の空間を囲う囲いフードであって、前記作業テーブルの正面側に作業開口を有し、前記計量テーブルの正面壁は透視可能な透明パネルにより構成され、
前記作業テーブルの下側の機械室に空気流を発生するファンが設けられ、
前記作業テーブルと計量テーブルとの間の空間の一部を封鎖する邪魔板であって、囲い式フードにより囲われた作業テーブル上の空間と計量テーブル上の空間を、邪魔板の上縁より上については互いに連通させ、上縁より下側は連通が遮られており、
前記作業テーブルは上下に空気を透過する板材により構成され、計量テーブル側の前記邪魔板の上縁より下の空間は風に対する袋小路を構成していることを特徴とする局所排気装置。
【請求項２】
請求項１の局所排気装置において、前記囲いフードは、前記局所排気装置の左右壁及び天井が透明のパネルで構成されていることを特徴とする局所排気装置。
【発明の詳細な説明】
【技術分野】
【０００１】
本発明は、有機溶剤を使用する調合作業に対応するベンチ型局所排気装置に関し、特に手調色による有機溶剤の調合作業の作業性を損なわずに囲い式排気により安全性を改善した局所排気装置に関する。
【背景技術】
【０００２】
調合作業では、赤、黄、青の三原色の塗料や、白、黒の塗料等を適当に調合して目的とする塗料を作成することが行われる。黒や赤等の塗料は、たとえ誤差が僅かであっても最終的に調合される製品としての塗料の色には極めて大きな影響を与えることが知られている。したがって、こうした塗料調合作業において、僅かな誤差が最終製品の色に大きく影響を与える塗料を調合する場合には、計量を精密に行った上で調合する必要がある。この計量は、塗料の調合作業を手作業により行われている。
【先行技術文献】
【特許文献】
【０００３】
【特許文献１】特開平４−７１１３３公報
【特許文献２】特開平１１−８０６２５号公報
【発明の開示】
【発明が解決しようとする課題】
【０００４】
塗料調合作業は、ほとんどのケースが有機溶剤作業に該当する。有機溶剤中毒予防規則（第二条、第一項）では、一定量の有機溶剤を使用する作業を有機溶剤作業として定めており、局所排気装置を用いた調合が義務付けられている。有機溶剤中毒予防規則、第三章、第十六条によれば、局所排気装置は、例えば囲い式フードを備えた局所排気装置を利用する場合には０．４メートル／秒の制御風速、外付けフードの局所排気装置の場合は例えば下方吸引型であれば０．５メートル／秒の制御風速を出し得る能力を有するものでなければならない旨規定されている。
【０００５】
上記したように、たとえ誤差が僅かであっても最終的に調合される製品としての塗料の色には極めて大きな影響を与えるような塗料については、計測装置により精密に重量を測定する必要がある。このような計測作業も有機溶剤作業に該当するため、制御風速の空気流の存在する環境下で計測作業を行わなければならない。ところが、計測器による計測は極めて微妙であり、所定の制御風速の空気流が計測に影響を与えてしまうことが問題であった。
【０００６】
そこで本発明は、所定の制御風速を満たした環境を提供し、かつ極めて正確に塗料の計測ができる局所排気装置を提供することを目的とするものである。
【課題を解決するための手段】
【０００７】
本発明は、局所的な換気を行う局所排気装置において、
作業テーブルと計量テーブルとが、前記局所排気装置の正面に隣り合って配置されており、
前記作業テーブルと計量テーブルの上の空間を囲う囲いフードであって、前記作業テーブルの正面側に作業開口を有し、前記計量テーブルの正面壁は透視可能な透明パネルにより構成され、
前記作業テーブルの下側の機械室に空気流を発生するファンが設けられ、
前記作業テーブルと計量テーブルとの間の空間の一部を封鎖する邪魔板であって、囲い式フードにより囲われた作業テーブル上の空間と計量テーブル上の空間を、邪魔板の上縁より上については互いに連通させ、上縁より下側は連通が遮られており、
前記作業テーブルは上下に空気を透過する板材により構成され、計量テーブル側の前記邪魔板の上縁より下の空間は風に対する袋小路を構成していることを特徴とするものである。
【発明の効果】
【０００８】
本発明によれば、邪魔板の上縁より下は、ファンによる空気流が邪魔板により抑制されているから、計量装置における空気流による影響が抑止される。また、作業員の腕は作業テーブルの上を経由して計量テーブルの上に差し込まれているから、作業員は有機溶剤に対して曝露しないという効果を奏する。
【図面の簡単な説明】
【０００９】
【図１】本実施例の局所排気装置の斜視図を示し、図１Ａは動作状態、図１Ｂは計測装置を設定する際の状態を示している。
【図２】局所排気装置の作用について説明する図であり、図２Ａは正面図、図２Ｂ及び図２Ｃは断面図である
【発明を実施するための最良の形態】
【００１０】
以下、本発明を実施例に基づいて詳細に説明する。
図１Ａにおいて、局所排気装置１は、作業者が有機溶剤を取り扱う際の曝露を防止するため、局所的な換気を行うための装置である。局所排気装置１は、パンチングメタル等上下に空気を通過する板材により構成された作業テーブル２と、作業テーブル２と同じ又は同じような高さ位置であって、作業テーブル２の隣に並んで配置される計量テーブル３を有している。計量テーブル３は孔のない板材で構成されており、上下に空気が通過できない。作業テーブル２と計量テーブル３は、局所排気装置１の正面に隣り合って配置されている。有機溶剤などの取り扱いは作業テーブル２上で行われる。計量テーブル３には、計量装置が置かれる。
【００１１】
作業テーブル２と計量テーブル３の上側の空間は、後壁４ａ、左壁４ｃ（図の紙面に向かって）、右壁４ｂ、天井４ｄ、正面壁４ｅ、４ｆを有する囲い式フード４により囲われている。囲い式フード４は、図面から容易に理解出来るように、立方体状に組まれた適当なフレームが後壁４ａ、左壁４ｃ、右壁４ｂ、天井４ｄ、正面壁４ｅ、４ｆを支持枠として支持している構成である。正面壁４ｅは、天井４ｄと連続し、作業テーブル２上と計量テーブル３上の空間の上側正面を塞ぐ。また、正面壁４ｆは、正面壁４ｅと連続し、計量テーブル３上の空間の下側正面を塞ぐ。
【００１２】
作業テーブル２上の空間の下前側には、局所排気装置１の前側から作業者が手を差し込んで作業できるように作業用開口４ｇが大きく開いている。正面壁４ｆは、局所排気装置１の前側で作業する作業者が計量テーブル３上の計量装置８を視認できるように透明パネルが使用されている。なお、囲い式フード４の全壁若しくは後壁以外の全壁を透明パネルで構成すれば、視認性はさらに向上する。
【００１３】
局所排気装置１は、作業テーブル２上の空気を、作業テーブル２を透過させて吸い込むプル型の排気装置である。外気は作業用開口４ｇから取り込まれ、矢印ａに示すように作業テーブル２に吸い込まれる。作業テーブル２上と計量テーブル３との間の空間の一部を封鎖する邪魔板９が設けられている。囲い式フード４により囲われた作業テーブル２上の空間と計量テーブル３上の空間は、邪魔板９の上縁９ａより上については互いに連通しているが、上縁９ａより下側は邪魔板９の箇所だけは連通が遮られている。この結果、邪魔板９の上縁９ａより下に位置する計量テーブル３側の空間は風の袋小路を構成し、作業用開口４ｇから吸い込まれた空気が計量装置８の測定位置（計量に影響するセンサ部分）を流れることができない。
【００１４】
作業テーブル２の下には、空気流を発生するファン１０（図２）を格納する機械室５が設けられており、局所排気装置１の正面の扉６を開けてファン１０のメンテナンスができるようになっている。機械室５の右側面には、ファン１０から吹き出された空気を吐き出すダクト７が設けられている。このダクト７には、屋外に設けられた排気口に続くダクトが接続される（図示せず）。
【００１５】
図１Ｂは、計量テーブル３の正面壁４ｆの透明パネルを取り外し、計量装置８を設置する様子を示している。正面壁４ｆは、留具１１により囲い式フードから取り外したり、取り付けたりすることができるようになっている。
【００１６】
図２を用いて、局所排気装置１の作用について説明する。図２Ａは正面図であり、図２Ｂ及び図２Ｃの断面図における切断場所を示している。図２Ｂは局所排気装置１を作業テーブル側で縦に切断して、ファンの方を眺めたＸ−Ｘ断面を示している。機械室５の内部は仕切板５ａにより、作業テーブル２を経由してファンに吸い込まれる経路と、ファンが設置される場所とに分割されている。ファンの吸い込み口は、局所排気装置１の後ろ側に向いて設けられており、局所排気装置１の正面の作業用開口から進入した空気が作業テーブルの後ろ側の奥まで到達し、一様な空気流を形成するように配置されている。
【００１７】
図２Ｃは、局所排気装置１を作業テーブル２側で横に切断して、上から眺めている。図中、シンボル的に示した腕Ｐ、Ｑは、作業員の腕であって、腕Ｐが作業テーブル上の作業の様子を示している。作業用開口４ｇは、作業員が作業テーブル２上に腕Ｐを挿入することに使用される。計量テーブル３の上の計量装置８を利用するときには、作業員は腕Ｑを作業用開口４ｇと作業テーブル２上の空間及び邪魔板９の上縁９ａを経由して計量テーブル３上の空間に差し込む。邪魔板９の上縁９ａより下は、作業テーブル２が空気を機械室５側のファン１０への流れを止めている。また、計量テーブル３上の空間ではファン１０による作業テーブル２への空気流の影響が邪魔板９により抑制されている。よって、計量装置８の測定位置においては、風にとっては行き止まりの袋小路空間となり空気流による影響が抑止される。また、腕Ｑは、作業テーブル２の上を経由して計量テーブル３の上に差し込まれているから、作業員は、有機溶剤に対して曝露しない。また、計量テーブル３の正面壁４ｆは透明パネルであるため、視認しやすく計量作業が容易にできるという利点がある。
【００１８】
上記実施例においては、邪魔板９の上縁９ａより下の空間に風に対する袋小路を構成したが、計測作業の後に、この場所の換気が必要であるならば、計測作業以外は換気するようにしても良い。例えば、計量テーブル３をパンチングメタルと孔無し板の二重にして、計測作業以外では孔無し板を取り外す構成にしても良い。また、本実施例の局所排気装置１は、プル型の排気装置であったが、天井４ｄにプッシュ型のファンを取り付けてプッシュプル型の局所排気装置としても良い。この場合、天井４ｄからの空気流が計量テーブル３側に流れないように、天井４ｄから邪魔板９の上縁９ａへ向かって延びる整流板を別途設けて置くのが良い。この場合、邪魔板９と整流板との間に空間を開けておき、作業員は腕Ｑを作業用開口４ｇと作業テーブル２上の空間及び邪魔板９と整流板の間を経由して計量テーブル３上の空間に差し込む。また、本実施例においては、右効きの仕様になっているが、作業テーブル２と計量テーブル３の左右を入れ替えて左効きの仕様にしても良い。上記実施例においては、計量テーブル３は孔のない板材で構成されており、上下に空気が通過できないように構成したが、作業テーブル２と同じくパンチメタルとして、空気を通さない別の板を下側に配置しても良い。
【符号の説明】
【００１９】
１     局所排気装置
２     作業テーブル
３     計量テーブル
４     囲い式フード
４ａ     後壁
４ｂ     右壁
４ｃ     左壁
４ｄ     天井
４ｅ、４ｆ     正面壁
４ｇ     作業用開口
５     機械室
５ａ     仕切板
６     扉
７     ダクト
８     計量装置
９     邪魔板
９ａ     上縁
１０     ファン
１１     留具
【図１】
2020051672.tif 000003
【図２】
2020051672.tif 000004